(57)【要約】      （修正有）【課題】 ＶｏＩＰアダプタ装置を介してインターネットへ接続された場合でも適切なモデム通信を行うことができるようにした通信装置を提供すること目的とする。【解決手段】 発信側は、回線接続時にＶｏＩＰアダプタ装置の介在を知ると、相手端末へ所定のトーン信号を、通信動作に先立って送出し、着信側は、発信側より所定のトーン信号を受信したとき、Ｖ．３４モデムの通信条件を、回線状態が悪い場合でも対処できるように設定するようにしているので、パケットロスの影響を極力抑制することができるようになるという効果を得る。【選択図】  図１
2005341506.tif 000002
【特許請求の範囲】
【請求項１】
ＩＴＵ−Ｔ勧告Ｖ．３４に準拠したモデム機能を備えた通信装置において、
発信時、回線閉結後に所定の接続音を検出したときには、選択信号送出後、極性反転を検出すると所定のトーン信号を送出した後に、発信時の通信動作を開始する発信制御手段と、
着信時、着信応答後に上記所定のトーン信号を検出したときには、上記モデム機能におけるシンボルレート設定条件を通常条件値よりも厳しい条件値に設定する着信制御手段を備えたことを特徴とする通信装置。
【請求項２】
ＩＴＵ−Ｔ勧告Ｖ．３４に準拠したモデム機能を備えた通信装置において、
発信時、回線閉結後に所定の接続音を検出したときには、選択信号送出後、極性反転を検出すると所定のトーン信号を送出した後に、発信時の通信動作を開始する発信制御手段と、
着信時、着信応答後に上記所定のトーン信号を検出したときには、上記モデム機能におけるデータレート設定条件を通常条件値よりも厳しい条件値に設定する着信制御手段を備えたことを特徴とする通信装置。
【請求項３】
ＩＴＵ−Ｔ勧告Ｖ．３４に準拠したモデム機能を備えた通信装置において、
発信時、回線閉結後に所定の接続音を検出したときには、選択信号送出後、極性反転を検出すると所定のトーン信号を送出した後に、発信時の通信動作を開始する発信制御手段と、
着信時、着信応答後に上記所定のトーン信号を検出したときには、上記モデム機能におけるタイミングリカバリ設定値を高速にリカバリする指定値に設定する着信制御手段を備えたことを特徴とする通信装置。
【請求項４】
ＩＴＵ−Ｔ勧告Ｖ．３４に準拠したモデム機能を備えた通信装置において、
発信時、回線閉結後に所定の接続音を検出したときには、選択信号送出後、極性反転を検出すると所定のトーン信号を送出した後に、発信時の通信動作を開始する発信制御手段と、
着信時、着信応答後に上記所定のトーン信号を検出したときには、上記モデム機能におけるシンボルレート設定条件を通常条件値よりも厳しい条件値に設定するとともに、上記モデム機能におけるデータレート設定条件を通常条件値よりも厳しい条件値に設定する着信制御手段を備えたことを特徴とする通信装置。
【請求項５】
ＩＴＵ−Ｔ勧告Ｖ．３４に準拠したモデム機能を備えた通信装置において、
発信時、回線閉結後に所定の接続音を検出したときには、選択信号送出後、極性反転を検出すると所定のトーン信号を送出した後に、発信時の通信動作を開始する発信制御手段と、
着信時、着信応答後に上記所定のトーン信号を検出したときには、上記モデム機能におけるシンボルレート設定条件を通常条件値よりも厳しい条件値に設定するとともに、上記モデム機能におけるタイミングリカバリ設定値を高速にリカバリする指定値に設定する着信制御手段を備えたことを特徴とする通信装置。
【請求項６】
ＩＴＵ−Ｔ勧告Ｖ．３４に準拠したモデム機能を備えた通信装置において、
発信時、回線閉結後に所定の接続音を検出したときには、選択信号送出後、極性反転を検出すると所定のトーン信号を送出した後に、発信時の通信動作を開始する発信制御手段と、
着信時、着信応答後に上記所定のトーン信号を検出したときには、上記モデム機能におけるデータレート設定条件を通常条件値よりも厳しい条件値に設定するとともに、上記モデム機能におけるタイミングリカバリ設定値を高速にリカバリする指定値に設定する着信制御手段を備えたことを特徴とする通信装置。
【請求項７】
ＩＴＵ−Ｔ勧告Ｖ．３４に準拠したモデム機能を備えた通信装置において、
発信時、回線閉結後に所定の接続音を検出したときには、選択信号送出後、極性反転を検出すると所定のトーン信号を送出した後に、発信時の通信動作を開始する発信制御手段と、
着信時、着信応答後に上記所定のトーン信号を検出したときには、上記モデム機能におけるシンボルレート設定条件を通常条件値よりも厳しい条件値に設定し、上記モデム機能におけるデータレート設定条件を通常条件値よりも厳しい条件値に設定し、上記モデム機能におけるタイミングリカバリ設定値を高速にリカバリする指定値に設定する着信制御手段を備えたことを特徴とする通信装置。
【発明の詳細な説明】
【技術分野】
【０００１】
本発明は、ＩＴＵ−Ｔ勧告Ｖ．３４に準拠したモデム機能を備えた通信装置に関する。
【背景技術】
【０００２】
一般に、ＩＴＵ−Ｔ勧告Ｖ．３４に準拠したモデム機能を備えた通信装置、例えば、グループ３ファクシミリ装置ＦＸは、図８（ａ）に示したように、宅内に設けられているモジュラージャックＪＫに、信号線ＣＢを接続することで、交換機ＥＸへ接続され、アナログ公衆回線網ＰＳＴＮへ収容されていた。
【０００３】
ところで、近年では、ＶｏＩＰ技術が進み、これを利用したいわゆるＩＰ電話が、家庭にまで導入されるようになってきている（特許文献１参照）。このため、グループ３ファクシミリ装置ＦＸは、同図（ｂ）に示すように、インターネットサービスプロバイダ設備ＩＳＰに収容されるＶｏＩＰアダプタ装置ＴＡに接続されるような接続形態を取る場合がある。
【特許文献１】実登３０９２９８３号公報
【発明の開示】
【発明が解決しようとする課題】
【０００４】
しかしながら、ＩＰ網であるインターネットＩＮＥＴを利用して、アナログ機器の通信を行う場合、インターネットＩＮＥＴにおけるパケットロスが発生した場合が問題となる。
【０００５】
このようなパケットロスに対処するためには、モデム機能の諸条件を好適な値に設定することで、パケットロスの影響を極力抑制することができる。
【０００６】
本発明は、かかる実情に鑑みてなされたものであり、ＶｏＩＰアダプタ装置を介してインターネットへ接続された場合でも適切なモデム通信を行うことができるようにした通信装置を提供すること目的とする。
【課題を解決するための手段】
【０００７】
本発明は、ＩＴＵ−Ｔ勧告Ｖ．３４に準拠したモデム機能を備えた通信装置において、発信時、回線閉結後に所定の接続音を検出したときには、選択信号送出後、極性反転を検出すると所定のトーン信号を送出した後に、発信時の通信動作を開始する発信制御手段と、着信時、着信応答後に上記所定のトーン信号を検出したときには、上記モデム機能におけるシンボルレート設定条件を通常条件値よりも厳しい条件値に設定する着信制御手段を備えたものである。
【０００８】
また、ＩＴＵ−Ｔ勧告Ｖ．３４に準拠したモデム機能を備えた通信装置において、発信時、回線閉結後に所定の接続音を検出したときには、選択信号送出後、極性反転を検出すると所定のトーン信号を送出した後に、発信時の通信動作を開始する発信制御手段と、着信時、着信応答後に上記所定のトーン信号を検出したときには、上記モデム機能におけるデータレート設定条件を通常条件値よりも厳しい条件値に設定する着信制御手段を備えたものである。
【０００９】
また、ＩＴＵ−Ｔ勧告Ｖ．３４に準拠したモデム機能を備えた通信装置において、発信時、回線閉結後に所定の接続音を検出したときには、選択信号送出後、極性反転を検出すると所定のトーン信号を送出した後に、発信時の通信動作を開始する発信制御手段と、着信時、着信応答後に上記所定のトーン信号を検出したときには、上記モデム機能におけるタイミングリカバリ設定値を高速にリカバリする指定値に設定する着信制御手段を備えたものである。
【００１０】
また、ＩＴＵ−Ｔ勧告Ｖ．３４に準拠したモデム機能を備えた通信装置において、発信時、回線閉結後に所定の接続音を検出したときには、選択信号送出後、極性反転を検出すると所定のトーン信号を送出した後に、発信時の通信動作を開始する発信制御手段と、着信時、着信応答後に上記所定のトーン信号を検出したときには、上記モデム機能におけるシンボルレート設定条件を通常条件値よりも厳しい条件値に設定するとともに、上記モデム機能におけるデータレート設定条件を通常条件値よりも厳しい条件値に設定する着信制御手段を備えたものである。
【００１１】
また、ＩＴＵ−Ｔ勧告Ｖ．３４に準拠したモデム機能を備えた通信装置において、発信時、回線閉結後に所定の接続音を検出したときには、選択信号送出後、極性反転を検出すると所定のトーン信号を送出した後に、発信時の通信動作を開始する発信制御手段と、着信時、着信応答後に上記所定のトーン信号を検出したときには、上記モデム機能におけるシンボルレート設定条件を通常条件値よりも厳しい条件値に設定するとともに、上記モデム機能におけるタイミングリカバリ設定値を高速にリカバリする指定値に設定する着信制御手段を備えたものである。
【００１２】
また、ＩＴＵ−Ｔ勧告Ｖ．３４に準拠したモデム機能を備えた通信装置において、発信時、回線閉結後に所定の接続音を検出したときには、選択信号送出後、極性反転を検出すると所定のトーン信号を送出した後に、発信時の通信動作を開始する発信制御手段と、着信時、着信応答後に上記所定のトーン信号を検出したときには、上記モデム機能におけるデータレート設定条件を通常条件値よりも厳しい条件値に設定するとともに、上記モデム機能におけるタイミングリカバリ設定値を高速にリカバリする指定値に設定する着信制御手段を備えたものである。
【００１３】
また、ＩＴＵ−Ｔ勧告Ｖ．３４に準拠したモデム機能を備えた通信装置において、発信時、回線閉結後に所定の接続音を検出したときには、選択信号送出後、極性反転を検出すると所定のトーン信号を送出した後に、発信時の通信動作を開始する発信制御手段と、着信時、着信応答後に上記所定のトーン信号を検出したときには、上記モデム機能におけるシンボルレート設定条件を通常条件値よりも厳しい条件値に設定し、上記モデム機能におけるデータレート設定条件を通常条件値よりも厳しい条件値に設定し、上記モデム機能におけるタイミングリカバリ設定値を高速にリカバリする指定値に設定する着信制御手段を備えたものである。
【発明の効果】
【００１４】
したがって、本発明によれば、着信側は、発信側よりＶｏＩＰアダプタ装置経由で接続された旨が通知されたとき、Ｖ．３４モデムの通信条件を、回線状態がより悪い場合に対処できるように設定するようにしているので、パケットロスの影響を極力抑制することができるようになるという効果を得る。
【発明を実施するための最良の形態】
【００１５】
以下、添付図面を参照しながら、本発明の実施の形態を詳細に説明する。
【００１６】
図１は、本発明の一実施例にかかるグループ３ファクシミリ装置を示している。
【００１７】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１８】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２１】
網制御装置１１は、このグループ３ファクシミリ装置をアナログ公衆網ＰＳＴＮに接続するためのものであり、自動発着信機能を備えている。
【００２２】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２３】
また、網制御装置１１とグループ３ファクシミリモデム１０との間のデータのやりとりは、直接行なわれている。
【００２４】
ここで、グループ３ファクシミリモデム１０では、ＩＴＵ−Ｔ勧告Ｖ．３４モデム機能を使うとき、Ｖ．３４モデムの制御手順のフェーズ２におけるラインプロービング受信時のシンボルレートを決定する際のアルゴリズムを、標準の「通常」、「標準」の場合よりも高いシンボルレートが設定されやすくなる「緩い」、および、「標準」の場合よりも低いシンボルレートが設定されやすくなる「厳しい」の三段階に設定することができる。
【００２５】
また、グループ３ファクシミリモデム１０では、ＩＴＵ−Ｔ勧告Ｖ．３４モデム機能を使うとき、Ｖ．３４モデムの制御手順のフェーズ３におけるプライマリーチャネルトレーニング時のデータレートを決定する際のアルゴリズムを、標準の「通常」、「標準」の場合よりも高いデータレートが設定されやすくなる「緩い」、および、「標準」の場合よりも低いデータレートが設定されやすくなる「厳しい」の三段階に設定することができる。
【００２６】
また、グループ３ファクシミリモデム１０では、タイミングリカバリの設定項目があり、この設定項目は、例えば、「自動」と「低速」と「高速」の三段階の値を設定することができ、「高速」に設定することで、急激な回線状況の変化に追従しやすくなり、その結果、パケットロスが発生した場合でも、接続を回復することが可能となる。
【００２７】
そこで、本実施例では、図２に示したようなＶ３４モデム設定情報テーブルを設け、グループ３ファクシミリモデム１０がＶ．３４モデム機能を使用する際には、このＶ３４モデム設定情報テーブルの値を参照して、シンボルレート決定アルゴリズム、データレート決定アルゴリズム、および、タイミングリカバリの設定を行うようにする。
【００２８】
ここで、Ｖ３４モデム設定情報テーブルの「シンボルレート設定条件」、「データレート設定条件」および「タイミングリカバリ設定条件」は、それぞれシンボルレート決定アルゴリズム、データレート決定アルゴリズム、および、タイミングリカバリ設定を規定する値である。
【００２９】
なお、Ｖ．３４モデムの制御手順（フェーズ１〜フェーズ６）等の詳細については、ＩＴＵ−Ｔ勧告Ｖ．３４等を参照されたい。
【００３０】
また、自端末がＶｏＩＰアダプタ装置ＴＡを介して、インターネットＩＮＥＴへ接続されている（図８（ｂ）参照）かどうかを検出するためには、例えば、発信時に網制御装置１１により直流閉結状態（回線接続要求）に切り替えた際、ＶｏＩＰアダプタ装置ＴＡから特定の接続音（特定信号）が送出されたかどうかを調べることで行うことができる。
【００３１】
すなわち、ＶｏＩＰアダプタ装置ＴＡは、接続されている端末装置が直流閉結状態に切り替わると、例えば、「プププ」と聞こえる接続音を、所定間隔で繰り返し端末装置へ送出する。この接続音は、ＶｏＩＰアダプタ装置のメーカや機種により定まっており、あらかじめ知りうることができて、グループ３ファクシミリ装置へ設定することができる。
【００３２】
そして、発信時にＶｏＩＰアダプタ装置ＴＡへの接続を検出すると、宛先を指定する選択信号を送出した後、宛先端末が応答し、それにより、極性反転を検出すると、自端末がＶｏＩＰアダプタ装置ＴＡを介して接続されている旨を通知する所定のトーン信号を宛先端末へ送出する。
【００３３】
この特定のトーン信号は、例えば、「８００Ｈｚの単一トーンを所定時間持続した信号」等を適用することができる。
【００３４】
一方、グループ３ファクシミリ装置は、着信検出し、着信応答した後に、上述した特定のトーン信号を検出すると、相手端末がＶｏＩＰアダプタ装置ＴＡを介して接続されている旨を検知する。そして、上述したＶ３４モデム設定情報テーブルのシンボルレート設定条件を「厳しい」に設定する。あるいは、Ｖ３４モデム設定情報テーブルのデータレート設定条件を「厳しい」に設定する。あるいは、Ｖ３４モデム設定情報テーブルのタイミングリカバリ設定条件を「高速」に設定する。
【００３５】
したがって、この場合、着信側のグループ３ファクシミリ装置は、Ｖ．３４モデム機能を用いて通信する際のシンボルレート設定条件が「厳しい」値にされているので、より低いシンボルレートを設定するように機能する。あるいは、Ｖ．３４モデム機能を用いて通信する際のデータレート設定条件が「厳しい」値にされているので、より低いデータレートを設定するように機能する。あるいは、Ｖ．３４モデム機能を用いて通信する際のデータリカバリが「高速」になるように機能する。
【００３６】
これにより、相手端末との間にインターネットＩＮＥＴが介在する場合のパケットロスの影響を極力抑制し、より高速なファクシミリ通信が可能となる。
【００３７】
図３は、発信時のグループ３ファクシミリ装置の動作の一例を示している。
【００３８】
まず、発信するために直流閉結し（処理１０１）、上述した接続音（特定信号）を受信検出したかどうかを調べる（処理１０２，判断１０３）。接続音を検出した場合で、判断１０３の結果がＹＥＳになるときには、宛先を指定するための選択信号を送出し（処理１０４）、極性反転を検出するか、あるいは、ビジートーンを検出するまで待つ（判断１０５，１０６のＮＯループ）。
【００３９】
ビジートーンを検出した場合で、判断１０６の結果がＹＥＳになるときには、回線を復旧して（処理１０７）、このときの動作をエラー終了する。
【００４０】
また、判断１０５の結果がＹＥＳになるときには、上述した特定のトーン信号を宛先端末へ送出した後に（処理１０８）、所定の発信時のファクシミリ通信処理を行って画情報を送信する（処理１０９）。この送信動作を終了すると、回線を復旧して、一連の動作を終了する。
【００４１】
また、判断１０３の結果がＮＯになるときには、宛先を指定するための選択信号を送出し（処理１１１）、極性反転を検出するか、あるいは、ビジートーンを検出するまで待つ（判断１１２，１１３のＮＯループ）。
【００４２】
ビジートーンを検出した場合で、判断１１３の結果がＹＥＳになるときには、回線を復旧して（処理１１４）、このときの動作をエラー終了する。
【００４３】
また、判断１１２の結果がＹＥＳになるときには、処理１０９へ移行し、所定の発信時のファクシミリ通信処理を行って画情報を送信する。
【００４４】
図４は、着信時のグループ３ファクシミリ装置の動作の一例を示している。
【００４５】
着信検出して（処理２０１）、着信応答すると（処理２０２）、上述した特定のトーン信号を検出するかどうかを調べる（判断２０３）。判断２０３の結果がＹＥＳになるときには、ＩＰ網（インターネットＩＮＥＴを含む）を介在する通信が行われる旨をあらわすＩＰ網フラグをセットし（処理２０４）、Ｖ３４モデム設定情報テーブルのシンボルレート設定条件を「厳しい」に設定する（処理２０５）。
【００４６】
また、判断２０３の結果がＮＯになるときには、Ｖ３４モデム設定情報テーブルのシンボルレート設定条件を「通常」に設定する（処理２０６）。
【００４７】
このようにして、Ｖ３４モデム設定情報テーブルのシンボルレート設定条件の値の設定を終了すると、所定の着信時のファクシミリ通信処理を行って画情報を受信する（処理２０７）。この受信処理では、Ｖ．３４モデム機能が使用される場合には、Ｖ３４モデム設定情報テーブルの値が参照された受信動作が行われるので、相手端末との間にＩＰ網が介在する場合には、よりシンボルレートが小さい値になるようにグループ３ファクシミリモデム１０が機能する。
【００４８】
そして、この受信動作を終了すると、回線を復旧して（処理２０８）、一連の動作を終了する。
【００４９】
図５は、着信時のグループ３ファクシミリ装置の動作の他の例を示している。
【００５０】
着信検出して（処理３０１）、着信応答すると（処理３０２）、上述した特定のトーン信号を検出するかどうかを調べる（判断３０３）。判断３０３の結果がＹＥＳになるときには、ＩＰ網（インターネットＩＮＥＴを含む）を介在する通信が行われる旨をあらわすＩＰ網フラグをセットし（処理３０４）、Ｖ３４モデム設定情報テーブルのデータレート設定条件を「厳しい」に設定する（処理３０５）。
【００５１】
また、判断３０３の結果がＮＯになるときには、Ｖ３４モデム設定情報テーブルのデータレート設定条件を「通常」に設定する（処理３０６）。
【００５２】
このようにして、Ｖ３４モデム設定情報テーブルのデータレート設定条件の値の設定を終了すると、所定の着信時のファクシミリ通信処理を行って画情報を受信する（処理３０７）。この受信処理では、Ｖ．３４モデム機能が使用される場合には、Ｖ３４モデム設定情報テーブルの値が参照された受信動作が行われるので、相手端末との間にＩＰ網が介在する場合には、よりデータレートが小さい値になるようにグループ３ファクシミリモデム１０が機能する。
【００５３】
そして、この受信動作を終了すると、回線を復旧して（処理３０８）、一連の動作を終了する。
【００５４】
図６は、着信時のグループ３ファクシミリ装置の動作のさらに他の例を示している。
【００５５】
着信検出して（処理４０１）、着信応答すると（処理４０２）、上述した特定のトーン信号を検出するかどうかを調べる（判断４０３）。判断４０３の結果がＹＥＳになるときには、ＩＰ網（インターネットＩＮＥＴを含む）を介在する通信が行われる旨をあらわすＩＰ網フラグをセットし（処理４０４）、Ｖ３４モデム設定情報テーブルのタイミングリカバリ設定条件を「高速」に設定する（処理４０５）。
【００５６】
また、判断４０３の結果がＮＯになるときには、Ｖ３４モデム設定情報テーブルのタイミングリカバリ設定条件を「自動」に設定する（処理４０６）。
【００５７】
このようにして、Ｖ３４モデム設定情報テーブルのタイミングリカバリ設定条件の値の設定を終了すると、所定の着信時のファクシミリ通信処理を行って画情報を受信する（処理４０７）。この受信処理では、Ｖ．３４モデム機能が使用される場合には、Ｖ３４モデム設定情報テーブルの値が参照された受信動作が行われるので、相手端末との間にＩＰ網が介在する場合には、タイミングリカバリ動作を高速に行うようにグループ３ファクシミリモデム１０が機能する。
【００５８】
そして、この受信動作を終了すると、回線を復旧して（処理４０８）、一連の動作を終了する。
【００５９】
図７は、着信時のグループ３ファクシミリ装置の動作のまたさらに他の例を示している。
【００６０】
着信検出して（処理５０１）、着信応答すると（処理５０２）、上述した特定のトーン信号を検出するかどうかを調べる（判断５０３）。判断５０３の結果がＹＥＳになるときには、ＩＰ網（インターネットＩＮＥＴを含む）を介在する通信が行われる旨をあらわすＩＰ網フラグをセットし（処理５０４）、Ｖ３４モデム設定情報テーブルのデータレート設定条件を「厳しい」に設定し（処理５０５）、Ｖ３４モデム設定情報テーブルのタイミングリカバリ設定条件を「高速」に設定し（処理５０６）、Ｖ３４モデム設定情報テーブルのタイミングリカバリ設定条件を「高速」に設定する（処理５０７）。
【００６１】
また、判断５０３の結果がＮＯになるときには、Ｖ３４モデム設定情報テーブルのデータレート設定条件を「通常」に設定し（処理５０８）、Ｖ３４モデム設定情報テーブルのタイミングリカバリ設定条件を「通常」に設定し（処理５０９）、Ｖ３４モデム設定情報テーブルのタイミングリカバリ設定条件を「自動」に設定する（処理５１０）。
【００６２】
このようにして、Ｖ３４モデム設定情報テーブルの各項目値の設定を終了すると、所定の着信時のファクシミリ通信処理を行って画情報を受信する（処理５１１）。この受信処理では、Ｖ．３４モデム機能が使用される場合には、Ｖ３４モデム設定情報テーブルの値が参照された受信動作が行われるので、相手端末との間にＩＰ網が介在する場合には、よりシンボルレートが小さい値になるようにグループ３ファクシミリモデム１０が機能するとともに、よりデータレートが小さい値になるようにグループ３ファクシミリモデム１０が機能とともに、タイミングリカバリ動作を高速に行うようにグループ３ファクシミリモデム１０が機能する。
【００６３】
そして、この受信動作を終了すると、回線を復旧して（処理５１２）、一連の動作を終了する。
【００６４】
このようにして、本実施例では、発信端末と着信端末との間にＩＰ網（インターネットＩＮＥＴ）が介在する場合で、Ｖ．３４モデム機能を利用するときには、よりシンボルレートが小さい値になるようにグループ３ファクシミリモデム１０が機能し、あるいは／および、よりデータレートが小さい値になるようにグループ３ファクシミリモデム１０が機能し、あるいは／および、タイミングリカバリ動作を高速に行うようにグループ３ファクシミリモデム１０が機能する。
【００６５】
その結果、パケットロスが発生した場合の影響を極力抑制することができ、より安定したファクシミリ通信を行うことができる。
【００６６】
なお、上述した実施例では、本発明をグループ３ファクシミリ装置に適用した場合について説明したが、本発明は、それ以外のＶ．３４モデム機能を用いる通信装置にも同様にして適用することができる。
【図面の簡単な説明】
【００６７】
【図１】本発明の一実施例にかかるグループ３ファクシミリ装置を示したブロック図。
【図２】Ｖ３４モデム設定情報テーブルの一例を示した概略図。
【図３】発信時のグループ３ファクシミリ装置の動作の一例を示したフローチャート。
【図４】着信時のグループ３ファクシミリ装置の動作の一例を示したフローチャート。
【図５】着信時のグループ３ファクシミリ装置の動作の他の例を示したフローチャート。
【図６】着信時のグループ３ファクシミリ装置の動作のさらに他の例を示したフローチャート。
【図７】着信時のグループ３ファクシミリ装置の動作のまたさらに他の例を示したフローチャート。
【図８】グループ３ファクシミリ装置の通信形態について説明するためのブロック図。
【符号の説明】
【００６８】
１  システム制御部
２  システムメモリ
３  パラメータメモリ
１０  グループ３ファクシミリモデム
１１  網制御装置
【図１】
2005341506.tif 000003
【図２】
2005341506.tif 000004
【図３】
2005341506.tif 000005
【図４】
2005341506.tif 000006
【図５】
2005341506.tif 000007
【図６】
2005341506.tif 000008
【図７】
2005341506.tif 000009
【図８】
2005341506.tif 000010